(57)【要約】      （修正有）【課題】結び瘤による糸巻状態の乱れを防止しつつ、コスト低減およびキャスティング性を向上でき、さらに高速回転する際のバランス性に優れた魚釣用リールおよび魚釣用リールのスプールを提供する。【解決手段】魚釣用リールは、リール本体に回転可能に支持されるスプール１０を備えている。スプール１０は、糸巻胴部１１と、糸巻胴部１１の両端部から径方向外側に立ち上がるフランジ部１２と、を備える。糸巻胴部１１には、釣糸の端部に形成した結び瘤を引っ掛けて留める糸留め溝２０が形成されている。【選択図】図２
2019004828.tif 000002
【特許請求の範囲】
【請求項１】
リール本体に回転可能に支持されるスプールを備えた魚釣用リールであって、
前記スプールは、糸巻胴部と、前記糸巻胴部の両端部から径方向外側に立ち上がるフランジ部と、を備え、
前記糸巻胴部には、釣糸の端部を引っ掛けて留める糸留め溝が形成されていることを特徴とする魚釣用リール。
【請求項２】
前記糸留め溝は、前記スプールの軸方向に沿って開口しており、軸方向の一端側から他端側に向けて溝幅が狭くなっていることを特徴とする請求項１に記載の魚釣用リール。
【請求項３】
前記糸巻胴部には、複数の孔部が形成されており、
前記糸留め溝は、前記孔部の孔縁に形成されていることを特徴とする請求項１または請求項２に記載の魚釣用リール。
【請求項４】
リール本体に回転可能に支持される魚釣用リールのスプールであって、
前記スプールは、糸巻胴部と、前記糸巻胴部の両端部から径方向外側に立ち上がるフランジ部と、を備え、
前記糸巻胴部には、釣糸の端部を引っ掛けて留める糸留め溝が形成されていることを特徴とする魚釣用リールのスプール。
【発明の詳細な説明】
【技術分野】
【０００１】
本発明は魚釣用リールおよび魚釣用リールのスプールに関する。
【背景技術】
【０００２】
従来、両軸受け型等の魚釣用リールにおいて、スプールに釣糸を巻回する際には、巻き始め部分となる釣糸の端部をスプールに巻き付けて結びつけている。
【０００３】
上記のように、スプールに釣糸を結び付ける作業は、煩わしく手間の掛かる作業である。また、結び瘤が生じるため、糸巻状態が乱れたり、不使用となる死糸が発生する等の不具合も生じ易い。
特に近年では、繊細なアプローチや釣りを行うために、浅溝のスプールを用い、細い釣糸を使用している。浅溝のスプールでは、細い釣糸を使用すること、および浅溝によって巻回量が少なくなることから、ほんの小さな結び瘤が存在しても糸巻状態が乱れる等の影響が発生し易い。このため、これを防止したいという要望があった。
【０００４】
従来、このような糸巻状態の乱れを防止する魚釣用リールとして、特許文献１に記載のものが知られている。
この魚釣用リールでは、スプールに貫通孔を設けるとともに、スプールの内側に釣糸の端部を挟着固定するための釣糸固定部材を設けている。この魚釣用リールによれば、貫通孔を通じてスプールの内側に導いた釣糸を、釣糸固定部材に挟着して固定することができ、結び瘤による糸巻状態の乱れを防止できる。
【先行技術文献】
【特許文献】
【０００５】
【特許文献１】特開２０００−２６２１９１号公報
【発明の概要】
【発明が解決しようとする課題】
【０００６】
しかしながら、特許文献１の魚釣用リールでは、スプールの内側に釣糸固定部材を設ける構成であるため、部品点数が増加してコストアップに繋がるおそれがある。加えて、スプールの重量が増加するため、キャスティングに影響を及ぼすおそれもあった。また、釣糸固定部材の形状によっては、高速回転する際にスプールのバランスが崩れるおそれがあった。
【０００７】
本発明は、結び瘤による糸巻状態の乱れを防止しつつ、コスト低減およびキャスティング性を向上でき、さらに高速回転する際のバランス性に優れた魚釣用リールおよび魚釣用リールのスプールを提供することを課題とする。
【課題を解決するための手段】
【０００８】
このような課題を解決する本発明の魚釣用リールは、リール本体に回転可能に支持されるスプールを備えた魚釣用リールである。前記スプールは、糸巻胴部と、前記糸巻胴部の両端部から径方向外側に立ち上がるフランジ部と、を備えている。前記糸巻胴部には、釣糸の端部を引っ掛けて留める糸留め溝が形成されている。
【０００９】
この魚釣用リールでは、糸巻胴部に形成された糸留め溝に釣糸の端部を挿入し、釣糸の端部に形成した結び瘤を糸留め溝に引っ掛けて留めたり、釣糸の端部を糸留め溝に直接挟持したりして留めることができる。つまり、釣糸の端部に結び瘤を形成した場合でもこれを糸巻胴部内に配置できるので、糸巻胴部の表面に結び瘤が露出することによる糸巻状態の乱れを防止できる。また、釣糸の端部を糸留め溝に直接挟持した場合には、結び瘤を作る必要がないので、これによる糸巻状態の乱れが生じない。
また、この魚釣用リールでは、糸巻胴部に対して糸留め溝を形成するだけでよいので、従来のように、釣糸の端部を固定するための部材をスプールの内側に設ける必要がなくなり、コスト低減を図ることができる。さらに、この魚釣用リールでは、釣糸の端部を固定するための部材をスプールの内側に設ける必要がないので、スプールの重量の増加を防止してキャスティング性を向上でき、かつ高速回転する際のバランス性に優れる。
【００１０】
また、前記した魚釣用リールにおいて、前記糸留め溝は、前記スプールの軸方向に沿って開口しており、軸方向の一端側から他端側に向けて溝幅が狭くなっているのがよい。この構成では、糸留め溝の一端側から溝内に釣糸の端部の結び瘤を挿入し、これを他端側に向けて移動することで、結び瘤を糸留め溝の他端側の内側に引っ掛けて留めることができる。また、糸留め溝の一端側から溝内に釣糸の端部を挿入し、これを他端側に向けて移動することで、釣糸の端部を糸留め溝の他端側に直接挟持して留めることができる。したがって、糸巻胴部に対して釣糸を容易に留めることができる。
また、釣糸は、釣糸の繰り出し方向または釣糸の巻き取り方向と略直交する方向に留められる。このため、糸留め溝を用いてスプールに釣糸を留めた後は、スプールから釣糸が脱落し難くなり、スプールに釣糸を巻き付ける作業が行い易い。また、キャスティング時にスプールから釣糸が全て繰り出されてしまっても、釣糸の端部が糸留め溝から脱落し難く、仕掛けをロストし難い。
【００１１】
また、前記した魚釣用リールにおいて、前記糸巻胴部には、複数の孔部が形成されており、前記糸留め溝は、前記孔部の孔縁に形成されているのがよい。この構成では、孔部を利用して糸留め溝を簡単に形成することができる。
【００１２】
前記課題を解決する本発明の魚釣用リールのスプールは、リール本体に回転可能に支持される魚釣用リールのスプールである。前記スプールは、糸巻胴部と、前記糸巻胴部の両端部から径方向外側に立ち上がるフランジ部と、を備えている。前記糸巻胴部には、釣糸の端部を引っ掛けて留める糸留め溝が形成されている。
【００１３】
この魚釣用リールのスプールでは、糸巻胴部に形成された糸留め溝に釣糸の端部を挿入し、釣糸の端部に形成した結び瘤を糸留め溝に引っ掛けて留めたり、釣糸の端部を糸留め溝に直接挟持したりして留めることができる。つまり、釣糸の端部に結び瘤を形成した場合でもこれを糸巻胴部内に配置できるので、糸巻胴部の表面に結び瘤が露出することによる糸巻状態の乱れを防止できる。また、釣糸の端部を糸留め溝に直接挟持した場合には、結び瘤を作る必要がないので、これによる糸巻状態の乱れが生じない。
また、この魚釣用リールでは、糸巻胴部に対して糸留め溝を形成するだけでよいので、従来のように、釣糸の端部を固定するための部材をスプールの内側に設ける必要がなくなり、コスト低減を図ることができる。さらに、この魚釣用リールでは、釣糸の端部を固定するための部材をスプールの内側に設ける必要がないので、スプールの重量の増加を防止してキャスティング性を向上でき、かつ高速回転する際のバランス性に優れる。
【発明の効果】
【００１４】
本発明によれば、結び瘤による糸巻状態の乱れを防止しつつ、コスト低減およびキャスティング性を向上でき、さらに高速回転する際のバランス性に優れた魚釣用リールおよび魚釣用リールのスプールが得られる。
【図面の簡単な説明】
【００１５】
【図１】本発明の第１実施形態に係る魚釣用リールおよび魚釣用リールに適用されるスプールを示す平面図である。
【図２】（ａ）はスプールの平面図、（ｂ）は糸留め溝を示す拡大平面図である。
【図３】（ａ）（ｂ）は釣糸の糸留め手順を示す説明図である。
【図４】本発明の第２実施形態に係る魚釣用リールに適用されるスプールを示す図であり、（ａ）は平面図、（ｂ）は糸留め溝を示す拡大平面図である。
【図５】本発明の第３実施形態に係る魚釣用リールに適用されるスプールを示す図であり、（ａ）は平面図、（ｂ）は糸留め溝を示す拡大平面図である。
【図６】本発明の第４実施形態に係る魚釣用リールに適用されるスプールを示す図であり、（ａ）は平面図、（ｂ）は糸留め溝を示す拡大平面図である。
【図７】本発明の第５実施形態に係る魚釣用リールに適用されるスプールを示す図であり、（ａ）は平面図、（ｂ）は糸留め溝を示す拡大平面図、（ｃ）は変形例の糸留め溝を示す拡大平面図である。
【図８】本発明の第６実施形態に係る魚釣用リールに適用されるスプールを示す図であり、（ａ）は平面図、（ｂ）は糸留め溝および肉抜き穴を示す縦断面図、（ｃ）は釣糸の糸留め手順を示す説明図である。
【図９】本発明の第７実施形態に係る魚釣用リールに適用されるスプールを示す図であり、（ａ）は平面図、（ｂ）は糸留め溝を示す拡大平面図、（ｃ）は図９（ｂ）におけるＡ−Ａ線拡大断面図である。
【発明を実施するための形態】
【００１６】
以下、本発明に係る魚釣用リールおよびスプールの実施形態について図面を参照して説明する。以下の説明において、「前後」「左右」を言うときは、図１に示した方向を基準とする。各実施形態において、同様の部分には同一の符号を付し重複する説明は省略する。
【００１７】
（第１実施形態）
図１に示すように、魚釣用リール１００を、例えば、両軸受け型のリールで説明すると、左右フレーム２，３を備えたリール本体１を有している。リール本体１の後部において、左右フレーム２，３間にはスプール軸４が回転可能に支持されている。スプール軸４には釣糸が巻回されるスプール１０が一体的に固定されている。
スプール軸４の両端は、図１、図２（ａ）に示すように、スプール１０の左右に延出している。両端部は、図示しないベアリング等を介して左右フレーム２，３（図１参照）に支持されている。
【００１８】
リール本体１の右フレーム３および右側板３ａには、図１に示すように、ハンドル軸５ａを介してハンドル５が回転可能に取り付けられている。右側板３ａの内側には、ハンドル５の回転駆動力をハンドル軸５ａからスプール軸４に伝達する公知の駆動力伝達機構（不図示）が配設されている。また、ハンドル軸５ａと駆動力伝達機構との間には、公知のドラグ機構（不図示）が配設されている。ドラグ機構では、ドラグ調整体６の締め込み具合により、ハンドル５の回転駆動力の伝達、およびスプール１０から釣糸が引き出される際の制動力が調整される。
【００１９】
また、同じく右側板３ａの内側には、スプール軸４を動力伝達状態と動力遮断状態に切り換える公知のクラッチ機構（不図示）が配設されている。クラッチ機構は、スプール１０の後方の操作部材７を押し下げ操作することで、クラッチＯＮ状態からクラッチＯＦＦ状態に切り換える。また、クラッチ機構は、ハンドル５を回転操作することによって、クラッチＯＦＦ状態からクラッチＯＮ状態に復帰される。
【００２０】
リール本体１の前部には、往復移動して釣糸をスプール１０に均一に巻回させる公知のレベルワインド機構８が配置されている。レベルワインド機構８は、駆動力伝達機構を介して駆動され、左右に往復動される釣糸案内体８ａを備えている。
【００２１】
次に、スプール１０について説明する。スプール１０は、図２（ａ）に示すように、中空円筒状の糸巻胴部１１と、糸巻胴部１１の左右両端部から径方向外側に立ち上がる左右のフランジ部１２，１２と、を備えている。スプール１０は、例えば、アルミニウム合金製であり、削り出しにより一体に形成されている。なお、スプール１０は、ＣＦＲＰ、ＧＦＲＰ等の繊維強化樹脂等によって形成することもできる。
【００２２】
糸巻胴部１１の内部中央部には、図３（ａ）に示すように、円板状のリブ部１３が一体に設けられている。リブ部１３は、糸巻胴部１１の内面に直交する状態に設けられている。なお、軽量化のため、リブ部１３に複数の孔（不図示）を形成してもよい。リブ部１３の中央部には、円筒形状のスプール軸支持部１４が一体に設けられている。スプール軸支持部１４には、スプール軸４が回り止め嵌合状態で挿通されている。
【００２３】
糸巻胴部１１の外周面には、図２（ａ）に示すように、糸留め溝２０が形成されている。糸留め溝２０は、スプール軸４の軸方向に沿って延びるスリット状の一対の溝部２１，２２によって構成されている。一対の溝部２１，２２は、左右対称の形状となっており、互いの延長線上に位置し合っている。各溝部２１，２２は、糸巻胴部１１の内側と外側とを連通する貫通溝である。
【００２４】
溝部２１と溝部２２とは、左右対称な構成のため、以下では左側の溝部２１について説明し、溝部２２の説明を省略する。
溝部２１は、図２（ｂ）に示すように、左端部から右端部に向けて溝幅が狭くなっており、左端部の溝幅Ｌ１に比べて右端部の溝幅Ｌ２が小さく形成されている。
【００２５】
溝部２１の左端部の溝幅Ｌ１は、釣糸Ｓの端部を結んで形成した結び瘤Ｓ１を挿通可能な大きさとなっている（図３（ａ）（ｂ）参照）。結び瘤Ｓ１は、例えば、単純な止め結びで形成することができる。また、右端部の溝幅Ｌ２は、図２（ｂ）に示すように、スプール１０に巻回される釣糸Ｓの糸径に対応した大きさ、または少し小さめの大きさとなっている。これにより、図３（ｂ）に示すように、溝部２１の右端部では、その内側縁部２１ａに結び瘤Ｓ１をしっかりと引っ掛けて留めることができる。
なお、両溝部２１，２２とも、両端部分がアール状に形成されている。
【００２６】
次に、スプール１０へ釣糸Ｓを留める手順について、図３を参照して説明する。
まず、釣糸Ｓの端部を結んで、釣糸Ｓの端部に結び瘤Ｓ１を作る（図３（ａ）参照）。
その後、形成した結び瘤Ｓ１を、例えば、一方の溝部２１の左端部から溝内に挿入する。この場合、溝部２１の左端部の溝幅Ｌ１は、結び瘤Ｓ１を挿通可能な大きさとなっているので、溝内に釣糸Ｓの端部および結び瘤Ｓ１をスムーズに挿入することができる（図２（ｂ）参照）。溝部２１を通過した結び瘤Ｓ１は、図３（ｂ）に二点鎖線で示すように、糸巻胴部１１の内側に位置する。
【００２７】
その後、結び瘤Ｓ１を糸巻胴部１１の内側に位置させたまま、釣糸Ｓの端部を溝部２１の左端部から右端部に向けてスライド移動させる（図３（ｂ）矢印参照）。そして、釣糸Ｓの端部が溝部２１の右端部に移動したら釣糸Ｓを引っ張る。そうすると、溝部２１の右端部の内側縁部２１ａに結び瘤Ｓ１が引っ掛かり、釣糸Ｓが溝部２１に抜け止め保持される。
このようにして、スプール１０の糸巻胴部１１に釣糸Ｓの端部を留めることができる。
その後、ハンドル５を巻き取り操作することで、釣糸Ｓをスプール１０に巻き付けることができる。
【００２８】
以上説明した本実施形態では、糸巻胴部１１に形成された糸留め溝２０（溝部２１，２２）に釣糸Ｓの端部に形成した結び瘤Ｓ１を引っ掛けて留めることができる。つまり、糸巻胴部１１内に釣糸Ｓの端部の結び瘤Ｓ１を配置できるので、糸巻胴部１１の表面に結び瘤Ｓ１が露出することによる糸巻状態の乱れを防止できる。
【００２９】
また、この魚釣用リール１００では、糸巻胴部１１に対して糸留め溝２０を形成するだけでよいので、従来のように、釣糸Ｓの端部を固定するための部材をスプール１０の内側に設ける必要がなくなる。したがって、コスト低減を図ることができる。さらに、この魚釣用リール１００では、釣糸Ｓの端部を固定するための部材をスプール１０の内側に設ける必要がないので、スプール１０の重量の増加を防止してキャスティング性を向上できる。また、スプール１０が高速回転する際のバランス性に優れる。
【００３０】
また、糸留め溝２０の一端側から釣糸Ｓの端部の結び瘤Ｓ１を挿入し、これを他端側に向けて移動することで、結び瘤Ｓ１を糸留め溝２０に引っ掛けて留めることができる。したがって、糸巻胴部１１に対して釣糸Ｓの端部を容易に留めることができる。
また、釣糸Ｓは、釣糸Ｓの繰り出し方向または釣糸Ｓの巻き取り方向と略直交する方向に留められる。このため、糸留め溝２０を用いてスプール１０に釣糸Ｓを留めた後は、スプール１０から釣糸Ｓが脱落し難くなり、スプール１０に釣糸Ｓを巻き付ける作業が行い易い。また、キャスティング時にスプール１０から釣糸Ｓが全て繰り出されてしまっても、釣糸Ｓの端部が糸留め溝２０から脱落し難く、仕掛けをロストし難い。
【００３１】
（第２実施形態）
次に、図４を参照して第２実施形態の魚釣用リールに適用されるスプールについて説明する。本実施形態が前記第１実施形態と異なるところは、糸留め溝２０Ａの軸方向中間部分に溝幅を絞る絞り部２３を設けた点にある。
【００３２】
糸留め溝２０Ａは、第１実施形態と同様に、図４（ａ）に示すように、スプール軸４の軸方向に沿って延びるスリット状の一対の溝部２１Ａ，２２Ａによって構成されている。一対の溝部２１Ａ，２２Ａは、左右対称の形状となっており、互いの延長線上に位置し合っている。各溝部２１Ａ，２２Ａは、糸巻胴部１１の内側と外側とを連通する貫通溝である。
【００３３】
溝部２１Ａと溝部２２Ａとは、左右対称な構成のため、以下では左側の溝部２１Ａについて説明し、溝部２２Ａの説明を省略する。
左側の溝部２１Ａは、図４（ｂ）に示すように、全体的に左端部から右端部に向けて溝幅が狭くなっており、軸方向中間部分に溝幅を絞る絞り部２３が設けられている。絞り部２３の溝幅Ｌ３は、右端部の溝幅Ｌ２に比べて若干大きく形成されている。これにより、溝部２１Ａは、左端部から絞り部２３にかけて溝幅が急激に窄まり、絞り部２３から右端部にかけて溝幅が緩やかに窄まるようになっている。絞り部２３の溝幅Ｌ３は、スプール１０に巻回される釣糸の糸径よりも大きく、かつ、釣糸Ｓの端部の結び瘤Ｓ１の径よりも小さくなるように設定されている。つまり、溝部２１の右端部の内側縁部に結び瘤Ｓ１を引っ掛けて留めることができる。
【００３４】
本実施形態では、絞り部２３の溝幅Ｌ３がスプール１０に巻回される釣糸の糸径よりも大きく、かつ、釣糸Ｓの端部の結び瘤Ｓ１の径よりも小さくなるように設定されているため、次のような作用効果を奏する。すなわち、釣糸Ｓの端部を溝部２１Ａの左端部から右端部に向けてスライド移動させる途中で、釣糸Ｓの結び瘤Ｓ１を絞り部２３の内側縁部に位置させることができる。これにより、右端部に釣糸Ｓの端部を移動させる前段階で釣糸Ｓを抜け止め保持することができ、糸巻胴部１１へ釣糸Ｓを留める作業がより行い易い。
【００３５】
（第３実施形態）
次に、図５を参照して第３実施形態の魚釣用リールに適用されるスプールについて説明する。本実施形態が前記第１，実施形態と異なるところは、糸留め溝２０Ｂの径方向外側から視た形状が略三日月形状（略Ｃ字形状）を呈している点にある。
【００３６】
糸留め溝２０Ｂは、図５（ａ）に示すように、スプール軸４の軸方向に並ぶ一対の溝部２１Ｂ，２２Ｂによって構成されている。一対の溝部２１Ｂ，２２Ｂは、左右対称の形状となっている。各溝部２１Ｂ，２２Ｂは、糸巻胴部１１の内側と外側とを連通する貫通溝である。
【００３７】
溝部２１Ｂと溝部２２Ｂとは、左右対称な構成のため、以下では左側の溝部２１Ｂについて説明し、溝部２２Ｂの説明を省略する。
左側の溝部２１Ｂは、図５（ｂ）に示すように、左端部の最大幅となる溝幅Ｌ４に比べて右端部の溝幅Ｌ５，Ｌ５が小さく形成されている。
左端部の溝幅Ｌ４は、釣糸Ｓの結び瘤Ｓ１を挿通可能な大きさとなっている。また、右端部の溝幅Ｌ５，Ｌ５は、スプール１０に巻回される釣糸Ｓの糸径に対応した大きさとなっている。つまり、溝部２１Ｂの一方の右端部の内側縁部に結び瘤Ｓ１（不図示）を引っ掛けて留めることができる。
【００３８】
以上説明した本実施形態では、糸留め溝２０Ｂが略三日月形状（略Ｃ字形状）を呈しているので、第１，２実施形態のものに比べて、軸方向における設置スペースを小さくすることができる。したがって、糸巻状態の乱れをより好適に防止することができる。また、釣糸Ｓを留める際の溝内における釣糸Ｓの移動距離が短くなるので、その分、釣糸Ｓを留める作業が行い易い。
【００３９】
（第４実施形態）
次に、図６を参照して第４実施形態の魚釣用リールに適用されるスプールについて説明する。本実施形態は、前記第３実施形態の変形例であり、糸留め溝２０Ｃに左角部２４ａおよび前後角部２４ｂ，２４ｂを設けて、糸留め溝２０Ｃの径方向外側から視た形状を大きくした点が異なる。
【００４０】
糸留め溝２０Ｃは、図６（ａ）に示すように、スプール軸４の軸方向に並ぶ一対の溝部２１Ｃ，２２Ｃによって構成されている。一対の溝部２１Ｃ，２２Ｃは、左右対称の形状となっている。各溝部２１Ｃ，２２Ｃは、糸巻胴部１１の内側と外側とを連通する貫通溝である。
【００４１】
溝部２１Ｃと溝部２２Ｃとは、左右対称な構成のため、以下では左側の溝部２１Ｃについて説明し、溝部２２Ｃの説明を省略する。
左側の溝部２１Ｃは、図６（ｂ）に示すように、左角部２４ａを備えていることにより、第３実施形態の溝部２１Ｂに比べて左側に延在しており、その分、左端部の最大幅となる溝幅Ｌ６も大きくなっている。また、溝部２１Ｃは、前後角部２４ｂ，２４ｂを備えていることにより、第３実施形態の溝部２１Ｂに比べて前後方向に大きくなっている。
【００４２】
以上説明した本実施形態では、第３実施形態の糸留め溝２０Ｂに比べて糸留め溝２０Ｃの形状が大きくなっているので、釣糸Ｓの結び瘤Ｓ１を溝内に挿入し易く、釣糸Ｓの留め作業がより一層行い易い。
【００４３】
（第５実施形態）
図７を参照して第５実施形態の魚釣用リールに適用されるスプールについて説明する。本実施形態が前記第１〜第４実施形態と異なるところは、スプール１０を軽量化して慣性モーメントの低減を図るために糸巻胴部１１に形成された孔部２５を利用して糸留め溝２０Ｄを設けた点が異なる。
【００４４】
糸巻胴部１１の周方向には、複数の孔部２５が形成されている。各孔部２５の径方向外側から視た形状は、軸方向を長軸とした楕円形状を呈している。糸留め溝２０Ｄは、複数の孔部２５のうち、少なくとも一部の左孔部２５ａおよび右孔部２５ｂの孔縁に設けられている。両糸留め溝２０Ｄは、左右対称な構成のため、以下では左孔部２５ａの糸留め溝２０Ｄについて説明し、右孔部２５ｂの糸留め溝２０Ｄの説明を省略する。
左孔部２５ａの糸留め溝２０Ｄは、図７（ｂ）に示すように、左孔部２５ａの右端部に設けられている。左孔部２５ａの糸留め溝２０Ｄは、右方へ延在し、延在端に向けて緩やかに窄まっている。糸留め溝２０Ｄの延在端は溝幅Ｌ２に設定されている。
なお、糸留め溝２０Ｄは、前後方向に一つずれた左孔部２５ａと右孔部２５ｂとに設けたが、軸方向に隣合う孔部２５同士に設けてもよい。
また、孔部２５の形状は、楕円形状のものに限られることはなく、円形状やその他の形状であってもよい。
【００４５】
以上説明した本実施形態では、孔部２５を利用して糸留め溝２０Ｄが設けられているので、孔部２５を形成する際に一緒に糸留め溝２０Ｄを設けることができる。したがって、糸留め溝２０Ｄの形成が行い易い。また、孔部２５は比較的大径に形成されているので、孔部２５への釣糸Ｓの端部の挿入作業が行い易く、また、孔部２５から糸留め溝２０Ｄへの釣糸Ｓを留める作業も行い易い。
【００４６】
また、図７（ｃ）に示すように、孔部２５の回転方向前後の縁部に糸留め溝２０Ｄ，２０Ｄを設けてもよい。
【００４７】
（第６実施形態）
次に、図８を参照して第６実施形態の魚釣用リールに適用されるスプールについて説明する。本実施形態が前記第１〜第５実施形態と異なるところは、中実の糸巻胴部１１Ａに糸留め溝２０を設けた点が異なる。
【００４８】
糸巻胴部１１Ａの内部には、図８（ａ）（ｂ）に示すように、スプール軸４に沿う肉抜き穴２６が周方向に複数形成されている。糸留め溝２０を構成している一対の溝部２１，２２は、複数の肉抜き穴２６のうち、２つの肉抜き穴２６に対応して設けられており、当該肉抜き穴２６に対して溝全体が連通するように設けられている。
【００４９】
スプール１０へ釣糸Ｓを留める際には、例えば、一方の溝部２１の左端部から溝内に釣糸Ｓの端部を挿入する。そうすると、図８（ｃ）に示すように、結び瘤Ｓ１が溝部２１を通じて肉抜き穴２６内に位置する状態となる。その後、結び瘤Ｓ１を肉抜き穴２６内に位置させたまま、釣糸Ｓの端部を溝部２１の左端部から右端部に向けてスライド移動させる（図８（ｃ）矢印参照）。そして、結び瘤Ｓ１を肉抜き穴２６の右端部の内側縁部２１ａに位置させて釣糸Ｓを引っ張る。そうすると、溝部２１の右端部の内側に結び瘤Ｓ１が引っ掛かり、釣糸Ｓが溝部２１に抜け止め保持される。
このようにして、スプール１０の糸巻胴部１１に釣糸Ｓの端部を留めることができる。
【００５０】
以上説明した本実施形態では、中実の糸巻胴部１１Ａにおいても、肉抜き穴２６を利用して糸留め溝２０に釣糸Ｓの端部の結び瘤Ｓ１を引っ掛けて留めることができる。つまり、肉抜き穴２６内に釣糸Ｓの端部の結び瘤Ｓ１を配置できるので、糸巻胴部１１の表面に結び瘤Ｓ１が露出することによる糸巻状態の乱れを防止できる。
【００５１】
（第７実施形態）
図９を参照して第７実施形態の魚釣用リールに適用されるスプールについて説明する。本実施形態が前記第１〜第６実施形態と異なるところは、糸留め溝２０Ｅが釣糸Ｓの端部を直接挟持可能に構成されている点にある。
【００５２】
糸留め溝２０Ｅは、第１実施形態と同様に、図９（ａ）に示すように、スプール軸４の軸方向に沿って延びるスリット状の一対の溝部２１Ｅ，２２Ｅによって構成されている。一対の溝部２１Ｅ，２２Ｅは、左右対称の形状となっており、互いの延長線上に位置し合っている。各溝部２１Ｅ，２２Ｅは、糸巻胴部１１の内側と外側とを連通する貫通溝である。
【００５３】
溝部２１Ｅと溝部２２Ｅとは、左右対称な構成のため、以下では左側の溝部２１Ｅについて説明し、溝部２２Ｅの説明を省略する。
左側の溝部２１Ｅは、図９（ｂ）に示すように、全体的に左端部から右端部に向けて溝幅が狭くなる楔形状となっており、右端部の溝幅Ｌ７は、スプール１０に巻回される釣糸の糸径よりも小さくなるように設定されている。つまり、溝部２１Ｅの右端部よりも左方の位置において釣糸Ｓの端部が溝内に移動され、釣糸Ｓの外形状が変形して食い込む状態で直接挟持されて留められるようになっている。
【００５４】
スプール１０へ釣糸Ｓを留める際には、釣糸Ｓの端部を、例えば、一方の溝部２１Ｅの左端部から溝内に挿入し、そのまま、溝部２１Ｅの右端部に向けて移動する。そうすると、溝部２１Ｅの右端部よりも左方の位置において釣糸Ｓの端部が溝内に直接挟持されて留められる（図９（ｃ）参照）。この場合、左端部から右端部に向けて若干勢い良く釣糸Ｓの端部を移動させることにより、釣糸Ｓの端部が溝内に好適に挟持される。
このようにして、スプール１０の糸巻胴部１１に釣糸Ｓの端部を留めることができる。
【００５５】
以上説明した本実施形態では、糸留め溝２０Ｅが釣糸Ｓの端部を直接挟持可能に構成されているので、糸巻胴部１１に釣糸Ｓを留める際に、結び瘤Ｓ１（図３（ａ）参照）をいちいち形成する必要がない。したがって、糸巻胴部１１に釣糸Ｓを迅速に留めることができる。また、結び瘤Ｓ１を作る必要がないので、これによる糸巻状態の乱れも生じない。
【００５６】
なお、このような糸留め溝２０Ｅは、糸巻胴部が中実に形成されたスプール１０に対しても適用可能である。この場合には、糸巻胴部の外周面に糸留め溝２０Ｅを凹設することで、釣糸Ｓの端部を直接挟持可能な有底状の溝として機能させることができる。
【００５７】
以上、本発明の実施形態について説明したが、本発明は、上記した実施形態に限定されることはなく、種々変形することが可能である。
例えば、前記各実施形態において、糸留め溝２０，２０Ａ〜２０Ｄは、一対設けたものを示したが、これに限られることはなく、いずれか一方のみ設けてもよい。また、糸巻胴部１１の左右中央部分に一つ設けてもよい。
【００５８】
また、前記各実施形態において、左右の溝部の配置を逆にして、スプール１０の左側に溝部２２，２２Ａ〜２２Ｃを設け、スプール１０の右側に溝部２１，２１Ａ〜２１Ｃを設けてもよい。
【００５９】
また、前記第１，第２実施形態において、糸留め溝２０，２０Ａは、スプール軸４の軸方向に平行に設けたが、これに限られることはなく、スプール軸４に傾斜する角度で設けてもよく、直交する角度で設けてもよい。
【００６０】
また、前記各実施形態では、本発明を両軸受け型の魚釣用リールのスプールに適用した例を示したが、これに限られることはなく、魚釣用スピニングリールや他の形式のリールのスプールに対して本発明を適用してもよい。
【符号の説明】
【００６１】
１      リール本体
４      スプール軸
１０    スプール
１１，１１Ａ    糸巻胴部
１２    フランジ部
２０    糸留め溝
２０Ａ〜２０Ｄ    糸留め溝
２５    孔部
Ｌ１〜Ｌ６  溝幅
Ｓ      釣糸
Ｓ１    結び瘤
【図１】
2019004828.tif 000003
【図２】
2019004828.tif 000004
【図３】
2019004828.tif 000005
【図４】
2019004828.tif 000006
【図５】
2019004828.tif 000007
【図６】
2019004828.tif 000008
【図７】
2019004828.tif 000009
【図８】
2019004828.tif 000010
【図９】
2019004828.tif 000011